(57)【特許請求の範囲】
【請求項１】
少なくとも一部分が透明または半透明の軸筒と、この軸筒内に摺動可能に設けられたレフィールと、ノック手段によってこのレフィールの筆記体を軸筒先端の開口から出没させる出没機構とからなる筆記具において、上記レフィールにＯリング状の下ストッパを設け、この下ストッパ上のレフィールに表示体を摺動可能に遊嵌せしめ、前記下ストッパに離間してさらにレフィールにＯリング状の上ストッパを設け、かつこれらストッパの少なくとも一方が両ストッパの間隔を可変とするためにレフィール上を移動可能であり、上記出没機構はレフィールの後端部に受けられた回転カムと、この回転カムが係合する軸筒内周に設けられた本体カムと、これら回転カムと本体カムとの間に設けられたノックカムと、このノックカムの後部に設けられたノック部材と、レフィールを後方に付勢しているリターンスプリングとからなり、このリターンスプリングの弾発力によりレフィールを移動せしめることによってレフィールに沿って表示体を上下動せしめてなることを特徴とするノック式筆記具。
【請求項２】
前記上・下ストッパはいずれも弾性を有し、前記表示体はマスコット等のメインパーツおよび飾りパーツのいずれかもしくは両者を含み、これらのパーツの形状はレフィール上を摺動可能な全ての立体的形状を含む請求項１記載のノック式筆記具。
【発明の詳細な説明】
【０００１】
【発明の属する技術分野】
この発明は、シャープペンシル、ボールペン等の筆記具に玩具又はアミューズメントの観点から付加価値を付与してなるノック式筆記具に関する。
【０００２】
【従来の技術】
従来、この種のノック式筆記具としては、筆記専用の機能を備えたもの以外に、軸筒に有名キャラクタ等を印刷したり、軸筒外部にアクセサリを取り付けたものがあった。しかしながら、軸筒側壁へのキャラクタ等のプリントは平面的でキャラクタの著名性に依存するだけで印象が薄く、使用により印刷が剥げたりする不都合があった。
【０００３】
また、例えば特開１０−２７８４８３号公報に記載のように軸筒外部にアクセサリを取り付けたものでは、筆記中はもとより、ポケットに入れて携帯する場合にも、そのアクセサリが邪魔となる不都合があった。
【０００４】
【発明が解決しようとする課題】
そこで、この発明は従来のノック式筆記具の通常の機能を損なうことなく、かえってそのリターンスプリングの機能を積極的に利用して、玩具又はアミューズメントとしての付加価値を筆記具に与えるとともに、筆記および携帯にも支障のないファンシーなノック式筆記具を提供することを目的とするものである。
【０００５】
【課題を解決するための手段】
この発明のノック式筆記具によれば、少なくとも一部分が透明または半透明の軸筒と、この軸筒内に摺動可能に設けられたレフィールと、ノック手段によってこのレフィールの筆記体を軸筒先端の開口から出没させる出没機構とからなる筆記具において、上記レフィールにＯリング状の下ストッパを設け、この下ストッパ上のレフィールに表示体を摺動可能に遊嵌せしめ、前記下ストッパに離間してさらにレフィールにＯリング状の上ストッパを設け、かつこれらストッパの少なくとも一方が両ストッパの間隔を可変とするためにレフィール上を移動可能であり、上記出没機構はレフィールの後端部に受けられた回転カムと、この回転カムが係合する軸筒内周に設けられた本体カムと、これら回転カムと本体カムとの間に設けられたノックカムと、このノックカムの後部に設けられたノック部材と、レフィールを後方に付勢しているリターンスプリングとからなり、このリターンスプリングの弾発力によりレフィールを移動せしめることによってレフィールに沿って表示体を上下動せしめてなる。
【０００６】
さらにこの発明のノック式筆記具によれば、前記上・下ストッパはいずれも弾性を有し、前記表示体はマスコット等のメインパーツおよび飾りパーツのいずれかもしくは両者を含み、これらのパーツの形状はレフィール上を摺動可能な全ての立体的形状を含む。
【０００７】
【発明の実施の形態】
以下、添付図面を用いてこの発明の実施の形態について詳述する。図１は、この発明によるノック式筆記具を示す縦断面図であり、図２は図１の筆記具に使用される本体カムの拡大縦断面図である。図において、軸筒１は少なくとも部分的に透明または半透明のいわゆる一本軸からなり、この軸筒１内にはボールペンレフィールの出没機構が設けられている。
【０００８】
即ち、軸筒１内にはレフィール２が摺動可能に設けられており、このレフィール２には、リターンスプリング３の後端を係止するための係止突起２１が形成されている。なお、軸筒１の先端部には先具４が設けられていて、この先具４とレフィール２の係止突起２１との間にリターンスプリング３が巻装されている。また、レフィール２の係止突起２１の後方には所定の間隔を置いてＯリング状の弾性体からなる上ストッパ５と下ストッパ６とがそれぞれ嵌合されている。
【０００９】
そして、これら上ストッパ５と下ストッパ６との間のレフィール２には表示体としてメインパーツである熊のマスコット７と飾りパーツである２つのリング８とが上下動自在に遊嵌されている。なお、これらの表示体を構成するマスコット７およびリング８の形状はレフィールに遊嵌される形状であれば良く、リング８であれば星形等であっても良い。
【００１０】
そして、レフィール２の後端部は回転カム９に受けられており、この回転カム９のカム部は軸筒１の内周に設けられた本体カム１０（図２）と係合している。なお、このカム本体１０と回転カム９との間にはノックカム１１が設けられており、このノックカム１１の後部にはノック部材としてノックキャップ１２が設けられている。
【００１１】
以下、上記実施の形態による筆記具の動作について説明する。この筆記具は、後端ノック式ボールペンであって、筆記する際には軸筒１の後端のノックキャップ１２をノックすると、ノックキャップ１２に連動したノックカム１１が前進せしめられる。
【００１２】
この場合、ノックカム１１に係合した回転カム９が回転し、軸筒１内に固設されかつカム溝を有する本体カム１０に案内される。そして、回転カム９に連動してボールペンレフィール２が、リターンスプリング３の後方への付勢力に抗して前進せしめられる。その結果、先具４の開口から筆記体であるボールペンチップ２２の先端が突出せしめられる。そして、ノックを終えると回転カム９は、本体カム１０のカム山に係止された状態、即ち、ボールペンチップ２２の先端が突出された筆記可能状態を維持する。
【００１３】
他方、筆記を終了して、レフィール２を軸筒内に収納したい場合には、再度操作部材をノックすると回転カム９が回転して、その先端が本体カム１０のカム山から外れてリターンスプリング３の付勢力によって後退し、その結果レフィール２も後退せしめられてボールペンチップ２２が軸筒１内に収納される。
【００１４】
なお、ノック操作の過程で、リータンスプリング３の付勢力によって回転カム９の先端が本体カム１０のカム山を昇降して間欠動作をする。一方、レフィール２の前後運動を考察すると、ノック操作が行われてレフィール２がノックストロークの最先端まで前進するが、ノックを終える瞬間、レフィール２は瞬間的にリターンスプリング３の弾発力によってやや後退せしめられる。
【００１５】
この時、レフィール３の上・下ストッパ５、６間に遊嵌されてマスコット７やリング８等の表示体が弾性体である下ストッパ６によって突き上げられて飛び上がり、自重もしくは上ストッパに５に衝突して下降する。なお、少なくともこれらに対応する軸筒１の外壁は透明もしくは半透明であるから、これら表示体の上下動が容易に目視出来る。従って、筆記機能に加えて玩具またはアミューズメントの観点から楽しむことが出来る。
【００１６】
さらに、上・下ストッパ５、６は弾性Ｏリングからなっているので、表示体が移動する間隔を変えたい場合には、上・下ストッパ５、６のいずれかの位置を移動することも可能である。このストッパ５、６の間隔はリターンスプリングの弾発力を考慮して、表示体が上ストッパ５に衝突するように設定することが望ましい。
【００１７】
さらに、図３は、この発明の他の実施の形態によるクリップ付きのボールペンを示し、この例では軸筒１が前軸１ａと後軸１ｂとの二部品から構成されてなる。従って、この場合は、後軸１ｂのみ透明または半透明であれば、前軸１ａは不透明なものであっても良い。なお、このボールペンでは図１のものに比べて軸筒１の後端にクリップ１３が取り付けられており、かつ前軸１ａのグリップ部分にはグリップカバー１４が設けられている。
【００１８】
そして、上・下ストッパ５、６およびマスコット７はいずれもレフィール２に固定されている。このような構造であっても、同様にノックの際のレフィール２の移動によりマスコット７自体もレフィール２の移動に伴って表示体が上下動するので、その動きを軸筒１の外部から目視して楽しむことができる。なお、この場合ストッパ５、６がなくマスコット７のみが表示体であっても良い。
【００１９】
またさらに、図４は、この発明のさらに他の実施の形態によるノック式シャープペンシルを示す。図において、軸筒１内に筆記体である鉛芯を収納した芯タンク１５が摺動可能に設けられている。この芯タンク１５の先部にはチャック１６が圧入・固設されている。このチャック１６のチャック部１６１にはチャックリング１７が遊嵌されている。また、芯タンク１５の外側には過大筆圧を吸収するためのクッションスリーブ１８が設けられている。なお、このクッションスリーブ１８の後端面は軸筒１の内フランジ１ｃに当接して位置決めされている。また、芯タンク１５の先端とクッションスリーブ１８の前端の内フランジ１ｃとの間にはリターンスプリング３が装着されている。
【００２０】
また、軸筒１先部の外側に設けられた先具４内には先端チップ１９２を備えたスライダ１９が摺動自在に設けられている。このスライダ１９は後部に前軸１ａに内接する摺接部１９１を有している。このスライダ１９は芯が落下しない程度に芯を保持している。そして、このシャープペンシルにおいても、その芯タンク１５に上記ボールペンと同様に弾性Ｏリングからなる上・下ストッパ５、６が取り付けられており、これらストッパ５、６の間の芯タンク１５にはマスコット７の表示体が上下動自在に遊嵌されている。
【００２１】
なお、ノック過程において、芯タンク１５はリターンスプリング３の衝撃によって間欠運動をするので芯タンク１５に取り付けられたストッパ５、６の間に遊嵌された表示体７、８はストッパ５、６間を上下動する。また、図中符号２０はシャープペンシルの後端に装着された消しゴムを示す。
【００２２】
以下、上記実施の形態によるノック式シャープペンシルの動作について説明する。まず、このシャープペンシルの後端のノックキャップ１２をノックすると、リターンスプリング３の後方への付勢力に抗して芯タンク１５およびチャック１６が前進せしめられる。そして、このチャック１６の前進過程でチャックリング１７が外れ、チャック１６が開放されて芯が突出される。そして、ノックを終えると芯タンク１５とチャック１６とがリターンスプリング３の付勢力によって後退せしめられ、この後退過程でチャック１６は閉じられて芯を保持するので、この状態で筆記が可能となる。
【００２３】
なお、筆記を終了して芯を軸筒１内に収納したい時には、再度後端のノックキャップ１２をノックすると、チャック１５が開放されるので、芯先端を指先などで押し込むことによって、軸筒１内に容易に収納することができる。
【００２４】
これら一連のノック操作の間において、リターンスプリング３の付勢力によって芯タンク１５に衝撃が与えられる。すると、芯タンク１５に予め取り付けられたマスコット７の表示体が弾性ストッパ５、６間を上下動することになる。この場合、軸筒１は透明または半透明であるから、その表示体の上下動を軸筒１外部から目視して楽しむことができる。なお、筆記とは無関係にノック操作を連続して行っても同様に、マスコット７の表示体の上下動を目視して楽しむことができることは勿論である。
【００２５】
なお、上記実施の形態では、表示体はマスコット７等の表示機能のみを有するものを挙げたが、この表示体はレフィール上の摺動により上・下ストッパとの衝突によって衝撃音を発生する鈴等でも良く、さらに反射光を発する金色または銀色の表示体および鏡等の反射部材であっても良い。そして、表示体の形状はレフィール上を摺動可能な全ての形状を含むことは勿論である。
【００２６】
【発明の効果】
この発明は上記したような構成であるから、従来のノック式筆記具の通常の機能を損なうことなく、かえってその機能を利用して、玩具またはアミューズメントとしての付加価値を筆記具に与えるという顕著な効果がある。
【００２７】
さらに、この発明によれば、軸筒内を利用して立体的な表示体をレフィールに設けたので表示効果が著しく、かつ筆記中は勿論のこと携帯に際しても邪魔とならないような効果もある。
【図面の簡単な説明】
【図１】この発明の実施の形態によるノック式ボールペンの縦断面図である。
【図２】図１のボールペンの本体カムの拡大縦断面図である。
【図３】この発明の他の実施の形態によるノック式ボールペンの縦断面図である。
【図４】この発明のさらに他の実施の形態によるノック式シャープペンシルの縦断面図である。
【符号の説明】
１  軸筒
１ａ  前軸
１ｂ  後軸
２  レフィール
３  リターンスプリング
４  先具
５  上ストッパ
６  下ストッパ
７  マスコット（表示体）
８  リング（表示体）
９  回転カム
１０  本体カム
１１  ノックカム
１２  ノックキャップ（ノック部材）
１３  クリップ
１４  グリップカバー
１５  芯タンク
１６  チャック
１７  チャックリング
１８  クッションスリーブ
１９  スライダ
２０  消しゴム
【図１】
0003836750.tif 000002
【図２】
0003836750.tif 000003
【図３】
0003836750.tif 000004
【図４】
0003836750.tif 000005